(57)【特許請求の範囲】
【請求項１】
制御デバイスのカメラから第３の画像データを受け取って、第１のディスプレイ上の部分を選択することであって、前記第３の画像データの第１の部分は前記第１のディスプレイの画像を表し、前記制御デバイスは第２のディスプレイを有し、前記第１のディスプレイは、少なくとも１つのフレームを含む第１の画像データから生成される画像をフレーム毎に表示する、選択することと、
前記第３の画像データ内における前記第３の画像データの前記第１の部分の相対位置、前記第３の画像データの前記第１の部分のサイズ、前記第１の画像データの解像度、および前記第３の画像データの解像度に従って、前記第１のディスプレイ上の前記選択された部分に対応する前記第１の画像データ内のフレーム内の第１の部分を決定することと、
前記第１の画像データ内のフレーム内の前記第１の部分に対応する前記第１の画像データから第２の画像データを生成することと、
前記第２の画像データを前記制御デバイスに提供し、第２の画像として前記第２のディスプレイ上に表示することと、
を含む、方法。
【請求項２】
制御デバイスを使用して第１のディスプレイ上の部分を選択することであって、前記制御デバイスは第２のディスプレイを有し、前記第１のディスプレイは、少なくとも１つのフレームを含む第１の画像データから生成される画像をフレーム毎に表示する、選択することと、
前記第１のディスプレイ上の前記選択された部分に対応する前記第１の画像データ内のフレーム内の第１の部分を決定することと、
前記第１の画像データ内のフレーム内の前記第１の部分に対応する前記第１の画像データから第２の画像データを生成することであって、前記第２の画像データは、前記第１の画像データ内のフレーム内の前記第１の部分に対応する前記第１の画像データのズームされたバージョンを表す、生成することと、
前記第２の画像データを前記制御デバイスに提供し、第２の画像として前記第２のディスプレイ上に表示することと、
を含む、方法。
【請求項３】
前記選択することは、前記制御デバイスのカメラから第３の画像データを受け取ることを含み、前記第３の画像データの第１の部分は前記第１のディスプレイの画像を表し、前記決定することは、前記第３の画像データ内における前記第３の画像データの前記第１の部分の相対位置、および前記第３の画像データの前記第１の部分のサイズに従って、前記第１の画像データ内のフレーム内の前記第１の部分を決定することを含む、請求項２に記載の方法。
【請求項４】
前記第１の画像データの解像度はＡＸＢ単位であり、また、前記第３の画像データの解像度はＷＸＨ単位であり、前記方法は、
前記第３の画像データの前記第１の部分を位置決めし、かつ、前記第３の画像データ内における前記第３の画像データの前記第１の部分の中心を表す前記第３の画像データ内の位置（ｐ，ｑ）を決定することと、
前記第１の画像データ内のフレーム内の前記第１の部分の中心を（ａ，ｂ）として決定することであって、ａ＝（Ａ／Ｗ）＊ｐおよびｂ＝（Ｂ／Ｈ）＊ｑである、決定することと、
をさらに含む、請求項１または３に記載の方法。
【請求項５】
前記第３の画像データの前記第１の部分の前記サイズは、ｗ単位の幅およびｈ単位の深さを含み、前記第１の画像データ内のフレーム内の前記第１の部分の幅および深さをそれぞれｄ単位およびｅ単位として決定することをさらに含み、ｄ＝（Ａ／Ｗ）＊ｗおよびｅ＝（Ｂ／Ｈ）＊ｈである、請求項４に記載の方法。
【請求項６】
前記第２の画像データを生成することは、拡大係数に従って、前記第１の画像データ内のフレーム内の前記第１の部分に対応する前記第１の画像データを拡大することを含む、請求項５に記載の方法。
【請求項７】
ｗおよびｈのうちの１つから前記拡大係数を決定すること
をさらに含む、請求項６に記載の方法。
【請求項８】
前記拡大係数はＷ／ｗに等しい、請求項７に記載の方法。
【請求項９】
前記拡大係数はＨ／ｈに等しい、請求項７に記載の方法。
【請求項１０】
前記第１の画像データは、静止画像またはビデオフレームを表す、請求項１または２に記載の方法。
【請求項１１】
前記選択することは、前記制御デバイスのカメラから第３の画像データを受け取ることを含み、前記第３の画像データは、前記第１のディスプレイ上に表示される画像の部分を表し、前記決定することは、前記第３の画像データに対応する部分のための前記第１の画像データを探索することを含む、請求項２に記載の方法。
【請求項１２】
コントローラと、
少なくとも１つのフレームを表す第１の画像データを記憶するためのメモリと、
を備えるビデオレシーバであって、前記メモリは、実行されると、少なくとも、
第１のディスプレイに前記第１の画像データによって表される画像をフレーム毎に表示させ、
制御デバイスのカメラから第３の画像データを受け取って、前記第１のディスプレイ上の部分を選択し、前記第３の画像データの第１の部分は前記第１のディスプレイの画像を表し、
前記第３の画像データ内における前記第３の画像データの前記第１の部分の相対位置、前記第３の画像データの前記第１の部分のサイズ、前記第１の画像データの解像度、および前記第３の画像データの解像度に従って、前記選択された部分に対応する前記第１の画像データ内のフレーム内の第１の部分を決定し、
前記第１の画像データ内のフレーム内の前記第１の部分に対応する前記第１の画像データから第２の画像データを生成し、かつ、
前記第２の画像データを前記制御デバイスに提供し、第２の画像として第２のディスプレイ上に表示する
ように前記コントローラが前記ビデオレシーバを制御することになる論理を記憶する、
ビデオレシーバ。
【請求項１３】
コントローラと、
少なくとも１つのフレームを表す第１の画像データを記憶するためのメモリと、
を備えるビデオレシーバであって、前記メモリは、実行されると、少なくとも、
第１のディスプレイに前記第１の画像データによって表される画像をフレーム毎に表示させ、
制御デバイスと対話して前記第１のディスプレイ上の部分を選択し、
前記選択された部分に対応する前記第１の画像データ内のフレーム内の第１の部分を決定し、
前記第１の画像データ内のフレーム内の前記第１の部分に対応する前記第１の画像データから第２の画像データを生成し、前記第２の画像データは、前記第１の画像データ内のフレーム内の前記第１の部分に対応する前記第１の画像データのズームされたバージョンを表し、かつ、
前記第２の画像データを前記制御デバイスに提供し、第２の画像として第２のディスプレイ上に表示する
ように前記コントローラが前記ビデオレシーバを制御することになる論理を記憶する、
ビデオレシーバ。
【請求項１４】
前記ビデオレシーバは、
前記制御デバイスのカメラから第３の画像データを受け取り、前記第３の画像データの第１の部分は前記第１のディスプレイの画像を表し、前記決定は、前記第３の画像データ内における前記第３の画像データの前記第１の部分の相対位置、および前記第３の画像データの前記第１の部分のサイズに従って、前記第１の画像データ内のフレーム内の前記第１の部分を決定することを含む、請求項１３に記載のビデオレシーバ。
【請求項１５】
前記第１の画像データの解像度はＡＸＢ単位であり、前記第３の画像データの解像度はＷＸＨ単位であり、前記ビデオレシーバは、
前記第２の画像データの第２の部分を位置決めし、かつ、前記第２の画像データの前記第２の部分の中心を表す前記第２の画像データ内の位置（ｐ，ｑ）を決定し、
前記第１の画像データ内のフレーム内の前記第１の部分の中心を（ａ，ｂ）として決定し、ａ＝（Ａ／Ｗ）＊ｐおよびｂ＝（Ｂ／Ｈ）＊ｑである、請求項１２または１４に記載のビデオレシーバ。
【請求項１６】
前記第３の画像データの前記第１の部分の前記サイズは、ｗ単位の幅およびｈ単位の深さを含み、前記ビデオレシーバは、
前記第１の画像データ内のフレーム内の前記第１の部分の幅および深さをそれぞれｄ単位およびｅ単位として決定し、ｄ＝（Ａ／Ｗ）＊ｗおよびｅ＝（Ｂ／Ｈ）＊ｈである、請求項１５に記載のビデオレシーバ。
【請求項１７】
前記ビデオレシーバは、拡大係数に従って、前記第１の画像データ内のフレーム内の前記第１の部分に対応する前記第１の画像データをズーミングすることによって前記第２の画像データを生成する、請求項１６に記載のビデオレシーバ。
【請求項１８】
前記ビデオレシーバは、ｗおよびｈのうちの１つから前記拡大係数を決定する、請求項１７に記載のビデオレシーバ。
【請求項１９】
前記拡大係数はＷ／ｗに等しい、請求項１８に記載のビデオレシーバ。
【請求項２０】
前記拡大係数はＨ／ｈに等しい、請求項１８に記載のビデオレシーバ。
【請求項２１】
前記第１の画像データは、静止画像またはビデオフレームを表す、請求項１２または１３に記載のビデオレシーバ。
【請求項２２】
少なくとも１つのフレームを含む第１の画像データを受け取り、かつ、前記第１の画像データから生成される画像をフレーム毎に第１のディスプレイ上に表示するビデオレシーバを制御する制御デバイスに使用される方法であって、前記制御デバイスは第２のディスプレイを有し、
前記制御デバイスのカメラによって取り込まれた第３の画像データを受け取ることであって、前記第３の画像データの第１の部分は、前記第１のディスプレイの画像を表す、受け取ることと、
ユーザによって選択された前記第１の画像データ内のフレーム内の第１の部分を位置決めするための情報を前記ビデオレシーバに伝送することであって、前記情報は、前記第３の画像データの前記第１の部分のサイズ、前記第３の画像データ内における前記第３の画像データの前記第１の部分の場所、および前記第２のディスプレイの解像度を含む、伝送することと、
前記第１の画像データ内のフレーム内の前記第１の部分に対応する前記第１の画像データから生成された第２の画像データを受け取ることと、
前記第２の画像データによって表される第２の画像を前記第２のディスプレイ上に表示することであって、前記第１のディスプレイは、前記第１の画像データから生成される画像のフレーム毎の表示を継続する、表示することと、
を含む、方法。
【請求項２３】
少なくとも１つのフレームを含む第１の画像データを受け取り、かつ、前記第１の画像データから生成される画像をフレーム毎に第１のディスプレイ上に表示するビデオレシーバを制御する制御デバイスに使用される方法であって、
前記制御デバイスのカメラによって取り込まれた第３の画像データを受け取ることであって、前記第３の画像データは、少なくとも１つのフレームを含む第１の画像データから生成される画像をフレーム毎に表示する前記第１のディスプレイの少なくとも部分を含む、受け取ることと、
ユーザによって選択された前記第１の画像データ内のフレーム内の第１の部分を位置決めするための情報を前記ビデオレシーバに伝送することと、
前記第１の画像データ内のフレーム内の前記第１の部分に対応する前記第１の画像データから生成された第２の画像データを受け取ることであって、前記第２の画像データは、前記第１の画像データ内のフレーム内の前記第１の部分に対応する前記第１の画像データのズームされたバージョンを表す、受け取ることと、
前記第２の画像データによって表される第２の画像を第２のディスプレイ上に表示することであって、前記第１のディスプレイは、前記第１の画像データから生成される画像のフレーム毎の表示を継続する、表示することと、
を含む、方法。
【請求項２４】
前記第３の画像データの第１の部分は前記第１のディスプレイの画像を表し、前記第１の画像データ内のフレーム内の前記第１の部分を位置決めするための前記情報は、前記第３の画像データの前記第１の部分のサイズ、および前記第３の画像データ内における前記第３の画像データの前記第１の部分の場所を含む、請求項２３に記載の方法。
【請求項２５】
前記第１の画像データ内のフレーム内の前記第１の部分を位置決めするための前記情報は前記第３の画像データである、請求項２３に記載の方法。
【請求項２６】
前記第１の画像データは、静止画像またはビデオフレームを表す、請求項２２または２３に記載の方法。
【請求項２７】
第１の画像データから生成される画像をフレーム毎に第１のディスプレイデバイス上に表示することと、
前記第１の画像データ内のフレーム内の第１の部分を位置決めするための情報を制御デバイスから受け取ることであって、第３の画像データが前記制御デバイスのカメラによって取り込まれ、前記第３の画像データは前記第１のディスプレイデバイスの少なくとも部分を含み、前記情報は、ｗＸｈ単位である前記第３の画像データの第１の部分のサイズ、前記第３の画像データ内における前記第３の画像データの前記第１の部分の場所、および前記第３の画像データの解像度を含む、受け取ることと、
前記情報および前記第１の画像データの解像度に従って、前記第１の画像データ内のフレーム内の前記第１の部分を位置決めすることと、
前記第１の画像データ内のフレーム内の前記第１の部分に対応する前記第１の画像データから第２の画像データを生成することと、
第２の画像として第２のディスプレイ上に表示するために、前記第２の画像データを前記制御デバイスに伝送することと、
を含む、方法。
【請求項２８】
第１の画像データから生成される画像をフレーム毎に第１のディスプレイデバイス上に表示することと、
前記第１の画像データ内のフレーム内の第１の部分を位置決めするための情報を制御デバイスから受け取ることと、
前記第１の画像データ内のフレーム内の前記第１の部分を位置決めすることと、
前記第１の画像データ内のフレーム内の前記第１の部分に対応する前記第１の画像データから第２の画像データを生成することであって、前記第２の画像データは、前記第１の画像データ内のフレーム内の前記第１の部分に対応する前記第１の画像データのズームされたバージョンを表す、生成することと、
第２の画像として第２のディスプレイ上に表示するために、前記第２の画像データを前記制御デバイスに伝送することと、
を含む、方法。
【請求項２９】
前記ズームされたバージョンは、拡大係数を使用して前記第１の画像データ内のフレーム内の前記第１の部分を拡大することによって生成される、請求項２８に記載の方法。
【請求項３０】
前記拡大係数はメモリに記憶される、請求項２９に記載の方法。
【請求項３１】
第３の画像データが前記制御デバイスのカメラによって取り込まれ、前記第３の画像データは前記第１のディスプレイデバイスの少なくとも部分を含み、前記第１の画像データ内のフレーム内の前記第１の部分を位置決めするための前記情報は、ｗＸｈ単位である前記第３の画像データの第１の部分のサイズ、および前記第３の画像データ内における前記第３の画像データの前記第１の部分の場所を含む、請求項２８に記載の方法。
【請求項３２】
前記第３の画像データ内における前記第３の画像データの前記第１の部分の前記場所は、（ｐ，ｑ）である前記第３の画像データ内における前記第３の画像データの前記部分の中心位置であり、前記第１の画像データの解像度はＡＸＢ単位であり、前記方法は、ＷＸＨ単位である前記第３の画像データの解像度を決定すること、および前記第１の画像データ内のフレーム内の前記第１の部分の中心を（ａ，ｂ）として決定することをさらに含み、ａ＝（Ａ／Ｗ）＊ｐおよびｂ＝（Ｂ／Ｈ）＊ｑである、請求項２７または３１に記載の方法。
【請求項３３】
前記第１の画像データ内のフレーム内の前記第１の部分の幅および深さをそれぞれｄ単位およびｅ単位として決定することをさらに含み、ｄ＝（Ａ／Ｗ）＊ｗおよびｅ＝（Ｂ／Ｈ）＊ｈである、請求項３２に記載の方法。
【請求項３４】
前記拡大係数は前記第１のディスプレイデバイスのサイズと、関心領域のサイズに従って決定される、請求項２９または３０に記載の方法。
【請求項３５】
前記拡大係数はＷ／ｗとして計算される、請求項３４に記載の方法。
【請求項３６】
前記拡大係数はＨ／ｈとして計算される、請求項３４に記載の方法。
【請求項３７】
前記第１の画像データは、静止画像またはビデオフレームを表す、請求項２７または２８に記載の方法。
【発明の詳細な説明】
【技術分野】
【０００１】
本発明は、一般に、ディジタル画像表示方法およびビデオレシーバ（１０８）に関する。
【背景技術】
【０００２】
テレビジョンセットなどのディスプレイデバイスのスクリーン上に表示された静止画像または動画像を見る場合、ユーザは、スクリーンの選択された部分をズームインすることを希望することがあり得る。ズーム機能は、ディジタルビデオディスク（ＤＶＤ：ｄｉｇｉｔａｌ  ｖｉｄｅｏ  ｄｉｓｋ）プレーヤーでは一般的である。典型的な実施態様では、ＤＶＤズーム機能は、その部分の拡大されたバージョンを表示することによってスクリーンの部分をズームインする。この機能は、選択されたコンテンツのズームインを可能にするが、その代わりに表示された他のコンテンツが除去されるか、または不鮮明になる。同様に、様々なよく知られているコンピュータオペレーティングシステムもズームまたは拡大レンズ機能を有しているが、コンテンツのいくつかの他の部分の観察を同じくスクリーンから除去する。
【発明の概要】
【０００３】
第１のディスプレイ上の部分を選択するための制御デバイスの使用を必然的に伴う例示的方法および装置が開示され、制御デバイスは第２のディスプレイを有し、第１のディスプレイは、少なくとも１つのフレームを含む第１の画像データから生成される画像をフレーム毎に表示し、また、第１のディスプレイ上の選択された部分に対応する第１の画像データ内のフレーム内の第１の部分を決定し、第１の画像データ内のフレーム内の第１の部分に対応する第１の画像データから第２の画像データを生成し、かつ、第２の画像として第２のディスプレイ上に表示するために第２の画像データを制御デバイスに提供する。
【０００４】
一実施形態では、第１のディスプレイ上の部分の選択は、制御デバイスのカメラからの、第１のディスプレイ上に表示された画像の部分を表す第３の画像データの受取り、および第３の画像データに対応する部分のための第１の画像データの探索を含む、第１の画像データ内のフレーム内の第１の部分の決定を含む。
【０００５】
他の実施形態では、第１のディスプレイ上の部分の選択は、制御デバイスのカメラからの第３の画像データの受取りを含み、第３の画像データの第１の部分は第１のディスプレイの画像を表し、第１の画像データ内のフレーム内の第１の部分は、第３の画像データ内における第３の画像データの第１の部分の相対位置、および第３の画像データ内における第３の画像データの第１の部分のサイズに従って決定される。さらに他の実施形態では、第１の画像データの解像度がＡＸＢ単位であり、また、第３の画像データの解像度がＷＸＨ単位である場合、第１の画像データ内のフレーム内の第１の部分の決定は、第３の画像データ内における第３の画像データの第１の部分の突きとめ、および第３の画像データ内における第３の画像データの第１の部分の、中央または隅のうちの１つなどの点を表す第３の画像データ内における位置（ｐ，ｑ）の決定、ならびに（ａ，ｂ）としての第１の画像データ内のフレーム内の第１の部分内の対応する点の決定を含み、ａ＝（Ａ／Ｗ）＊ｐおよびｂ＝（Ｂ／Ｈ）＊ｑである。第３の画像データの第１の部分のサイズがｗ単位の幅およびｈ単位の深さを含んでいる場合、第１の画像データ内のフレーム内の第１の部分の幅および深さは、それぞれｄ単位およびｅ単位として決定することができ、ｄ＝（Ａ／Ｗ）＊ｗおよびｅ＝（Ｂ／Ｈ）＊ｈである。
【０００６】
例示的実施形態では、生成される第２の画像データは、拡大係数だけ拡大された第１の画像データ内のフレーム内の第１の部分に対応する第１の画像データである。拡大係数はｗまたはｈから決定され得る。例えば、拡大係数はＷ／ｗまたはＨ／ｈであってもよい。拡大係数は、ユーザによってセットアップされる設定データベースから得ることも可能である。
【０００７】
第１の画像データは、静止画像またはビデオフレームを表すことができる。
【０００８】
したがって本発明の例示的実施形態によれば、第２のディスプレイは、第１のディスプレイ上に表示される画像をそのままにして、解像度を損失することなく、選択された部分の拡大されたバージョンを示すことができる。
【０００９】
以上に鑑みて、また、詳細な説明から明らかになるように、他の実施形態および特徴も同じく可能であり、本発明の原理の範疇である。
【図面の簡単な説明】
【００１０】
以下、単なる例にすぎないが、本発明の実施形態による装置および／または方法のいくつかの実施形態が添付の図を参照して説明される。
【００１１】
【図１】本発明の１または複数の実施形態が使用され得る、例示的な環境のブロック図である。
【図２】本発明による視聴覚コンテンツ配信デバイスの例示的実施形態のブロック図である。
【図３Ａ】本発明の原理による、視聴覚コンテンツ配信デバイス、ディスプレイデバイスおよび制御デバイス間の対話を概略的に示す図である。
【図３Ｂ】制御デバイスのカメラによって取り込まれた、その中にディスプレイデバイスを示す画像を概略的に示す図である。
【図３Ｃ】ディスプレイデバイスによって表示された画像を概略的に示す図である。
【図４】本発明の原理による例示的方法の流れ図である。
【図５】本発明の原理による、制御デバイスによって実施される例示的方法の流れ図である。
【図６】本発明の原理による、ビデオレシーバによって実施される例示的方法の流れ図である。
【発明を実施するための形態】
【００１２】
図１は、本発明の１または複数の実施形態が使用され得る、例示的な環境１００のブロック図である。環境１００では、サーバー、ヘッドエンド、等々などのコンテンツソース１０２から発信される視聴覚コンテンツは、配信ネットワーク１０６を介して、ディスプレイデバイス１１４に結合されたＡＶ配信デバイス（ＡＶＤＤ）１０８として示されているビデオレシーバに引き渡される。ＡＶ配信デバイス１０８は、以下でより詳細に説明されるようにコンテンツを処理し、かつ、処理されたコンテンツをディスプレイデバイス１１４に提供する。ディスプレイデバイス１１４は、例えば１または複数の２−Ｄまたは３−Ｄ標準解像度（ＳＤ）ディスプレイまたは高解像度（ＨＤ）ディスプレイ、モニターまたはテレビジョン受像機を含むことができる。
【００１３】
配信ネットワーク１０６は、有線要素および無線要素の両方を含むことができ、また、例えば国立センターから１または複数の地方センターまたは局所センターへの衛星リンク伝送を含むことができる。また、配信ネットワーク１０６は、オーバーザエアー同報通信、衛星同報通信またはケーブル同報通信などの局所配信システムを使用した局所コンテンツ配信を含むことも可能である。配信ネットワーク１０６は、とりわけ光ファイバー、イーサーネット、電話回線ネットワークおよび高速広帯域インターネット型通信システムを含むことができる。
【００１４】
ＡＶ配信デバイス１０８は様々な方法で実現されることができ、また、ディジタルビデオレコーダー（ＤＶＲ）、ゲートウェイ、モデム、等々が付いた、または付いていないセットトップボックス（ＳＴＢ）などのネットワーク接続実施形態、ＤＶＤプレーヤー、ビデオサーバー、等々などの独立型実施形態、またはそれらの任意の組合せを含むことができる。任意選択でＡＶ配信デバイス１０８は、ホームネットワーク内のクライアントまたはピアデバイスのいずれかとして構成された追加デバイスを含むホームネットワークシステムのための入口点、すなわちゲートウェイとして作用することも可能である。また、デバイス１０８は、ディスプレイデバイス１１４などの視聴覚デバイスを含んだ他のシステムまたはデバイスの中に組み込むことも可能である。
【００１５】
また、ＡＶ配信デバイス１０８は、ハンドヘルドまたは携帯型であることが好ましい制御デバイス１１６に好ましくは無線でインタフェースされる。制御デバイス１１６は、ＡＶ配信デバイス１０８および／またはディスプレイデバイス１１４のためのユーザインタフェースを提供するように適合され得る。制御デバイス１１６は、図形および画像を表示することができ、また、好ましくは動画像またはビデオを同じく表示することができるディスプレイを含む。制御デバイス１１６は、カメラ（図示せず）、キー、およびユーザ入力を受け取り、カメラを制御し、また、取り込まれた画像をカメラから受け取るためのマイクロプロセッサ、プロセッサー、マイクロコントローラであってもよいコントローラ（図示せず）を含む。表示されるビデオは、ディスプレイデバイス１１４に引き渡されるビデオコンテンツのすべてまたは部分を含むことができ、また、図形は、アイコン、ユーザインタフェースウィジェット、等々を含むことができる。例示的実施形態では、制御デバイス１１６は、ユーザ入力ならびに画像および図形の表示の両方を許容するタッチスクリーンを含む。当然、ユーザ入力は、表示のみの機能を実施するスクリーンを備えた専用ボタン、またはそれらの任意の組合せを介して同じく提供され得る。
【００１６】
制御デバイス１１６は、赤外線（ＩＲ）通信または無線周波数（ＲＦ）通信などの任意のよく知られている信号伝送システムを使用してＡＶ配信デバイス１０８にインタフェースすることができ、また、Ｉｎｆｒａ−ｒｅｄ  Ｄａｔａ  Ａｓｓｏｃｉａｔｉｏｎ（ＩＲＤＡ）規格、Ｗｉ−Ｆｉ、Ｂｌｕｅｔｏｏｔｈ（登録商標）、等々などの任意の適切な所有権を主張できるプロトコルまたは標準プロトコルに準拠することができる。制御デバイス１１６は、例えば、多くの可能性の中でもとりわけ、適切なソフトウェアを使用して構成されたタブレットコンピュータまたはスマートフォンなどの商用的に入手することができるデバイス、またはデバイス１０８および／または１１４の制御専用の個別化されたデバイスを使用して実現され得る。上で言及されたように、制御デバイス１１６は、制御デバイス１１６の動作を制御するためのコントローラ（図示せず）を含む。制御デバイス１１６の動作については、以下でより詳細に説明される。
【００１７】
次に図２を参照すると、ＡＶ配信デバイス１０８の実施形態のブロック図が示されている。簡潔にするために、それらがよく知られている範囲内においては、デバイスの動作を完全にするために必要であり得るすべての構成要素は示されていない。ＡＶ配信デバイス１０８はプロセッサーをベースとするシステムであり、コントローラ２１０およびメモリ２１５で示されている１または複数のプロセッサーおよび関連するメモリを含む。コントローラ２１０は、１または複数の記憶プログラム制御プロセッサーを表しており、本明細書において説明されている機能のための専用であっても、あるいは専用でなくてもよく、つまりコントローラ２１０は、ＡＶ配信デバイス１０８の他の機能を同じく制御することができる。さらに、デバイス１０８がより大きいデバイスまたはシステムの部分である場合、コントローラ２１０は、このデバイスまたはシステムの他の機能を制御することも可能である。
【００１８】
コントローラ２１０は、入力ストリーム信号を記憶のため、または表示のための信号に変換するプロセスを管理する。また、コントローラ２１０は、記憶されているコンテンツの検索およびプレイバックを同じく管理する。さらに、コントローラ２１０は、コンテンツの探索を実施し、また、コンテンツを表す格子表示の生成および調整を実施する。コントローラ２１０は、マイクロプロセッサ、等々を使用して実現され得る。
【００１９】
コントローラ２１０は、コントローラ２１０のための情報および命令コードを記憶するメモリ２１５と相互接続される。メモリ２１５は、例えば、ＲＡＭ、ＳＲＡＭ、ＤＲＡＭ、ＲＯＭ、プログラマブルＲＯＭ（ＰＲＯＭ）、フラッシュメモリ、電子的プログラマブルＲＯＭ（ＥＰＲＯＭ）、電子的消去可能プログラマブルＲＯＭ（ＥＥＰＲＯＭ）、等々を含む揮発性メモリまたは不揮発性メモリを使用して実現され得る。さらに、メモリ２１５の実施態様は、単一のメモリデバイス、あるいは共有メモリまたは共通メモリを形成するために一体に通信接続または通信結合される複数のメモリ回路などのいくつかの可能実施形態を含むことができる。さらに、メモリ２１５は、多くの可能性の中でもとりわけ、コントローラ２１０および／またはバス通信回路機構の部分などの他の回路機構と統合され得る。
【００２０】
また、メモリ２１５は、コンテンツを含んだ図形要素などの要素のデータベースを記憶することも可能である。データベースは、図形要素のパターンとして記憶され得る。あるいはメモリ２１５は、識別された記憶場所またはグループ化された記憶場所に図形要素を記憶し、かつ、アクセスまたは場所テーブルを使用して、図形要素に関連する情報の様々な部分のための記憶場所を識別することも可能である。
【００２１】
メモリ２１５に加えて、コントローラ２１０は、バスまたは他の適切な構成などを介して、入力信号レシーバ２０２、入力ストリームプロセッサー２０４、オーディオ／ビデオプロセッサー２０６、記憶装置２１２、無線インタフェース２１６およびユーザインタフェース２２２を含むＡＶ配信デバイス１０８の他の構成要素と相互接続される。
【００２２】
動作中、視聴覚コンテンツを運ぶ信号が入力信号レシーバ２０２によって受け取られる。入力信号レシーバ２０２は、上で説明されたように、コンテンツを分配し得るいくつかの可能ネットワーク（１０６）のうちの任意の１または複数から受け取られた信号を受け取り、同調し、ダウン変換し、選択し、復調し、および／または復号するために使用されるいくつかの知られているレシーバ回路のうちの任意の１または複数を含むことができる。所望の入力信号は、例えばユーザ入力またはプログラミング命令などに従って、コントローラ２１０の制御の下で入力信号レシーバ２０２によって選択され、かつ、取り込まれ得る。
【００２３】
復号された入力信号は、入力信号レシーバ２０２によって入力ストリームプロセッサー２０４に提供される。入力ストリームプロセッサー２０４は、圧縮されたディジタル信号などの受け取ったフォーマットから、ユーザに提示するためにディスプレイデバイス（１１４）に提供され得るフォーマットに変換するために、信号処理を実施し、かつ、処理した、受け取った信号をオーディオ／ビデオプロセッサー２０６に提供する。また、オーディオ／ビデオプロセッサー２０６は、視聴覚コンテンツを記憶装置２１２に記憶し、かつ、検索するための任意の必要な処理を実施する。
【００２４】
入力信号レシーバ２０２によって受け取られたか、または記憶装置２１２から検索されたかのいずれかである、オーディオ／ビデオプロセッサー２０６からの変換された信号は、上で説明されたタイプのディスプレイデバイス（１１４）への準備のためにインタフェース２０８に提供される。インタフェース２０８は、赤−緑−青（ＲＧＢ）インタフェースなどのアナログ信号インタフェース、および／またはＨｉｇｈ−Ｄｅｆｉｎｉｔｉｏｎ  Ｍｕｌｔｉｍｅｄｉａ  Ｉｎｔｅｒｆａｃｅ（ＨＤＭＩ（登録商標））などのディジタルインタフェースを含むことができる。ディジタルコンテンツは少なくとも１つのフレームを含み、また、解像度が規定される。
【００２５】
記憶装置２１２は、デバイス１０８によって受け取られる視聴覚コンテンツを記憶し、制御デバイス（１１６）から、またはユーザインタフェース２２２から無線インタフェース２１６を介して受け取られるコマンド（例えば高速送りおよび巻戻しなどのナビゲーション命令）に基づくコントローラ２１０の制御下でのコンテンツの後の検索およびプレイバックを可能にする。記憶装置２１２は、ハードディスクドライブ、スタティックＲＡＭ（ＳＲＡＭ）またはダイナミックＲＡＭ（ＤＲＡＭ）などの１または複数の大容量集積電子メモリ、および／またはコンパクトディスク（ＣＤ）ドライブまたはＤＶＤドライブなどの交換可能光ディスク記憶システムを含むことができる。
【００２６】
ユーザインタフェース２２２は、ユーザがＡＶ配信デバイス１０８と対話することができる様々なユーザ入力および出力デバイス（例えばキー、ボタン、ディスプレイ、インディケータ）を含むことができる。例示的実施形態では、ユーザインタフェース２２２は除去されることが可能であり、すべてのユーザ対話は、無線インタフェース２１６を介してＡＶ配信デバイス１０８にインタフェースされる制御デバイス（１１６）を介して生じる。
【００２７】
制御デバイス１１６は、ズームイン、ズームアウト、実行、停止、高速送り、巻戻し、番組選択、等々などの様々な機能を表すために使用され得る。タッチパネルを使用して実現される場合、制御デバイス１１６は、手の動きまたはジェスチャ、およびタッチパネルを通してコマンドに翻訳されるアクションに基づくＡＶ配信デバイス１０８の動作を可能にする。制御デバイス１１６の実施態様に応じて、コマンドを入力するための例えば音声認識などの他の技法も同じく使用され得る。
【００２８】
例示的実施形態では、制御デバイス１１６は、少なくとも１つのカメラ要素を同じく含む。カメラ要素は、ユーザ入力制御およびディスプレイ（例えばタッチスクリーン）とは反対側のデバイスの面に取り付けられることが好ましく、また、以下で説明されるように使用され得る。
【００２９】
次に、図３Ａを参照して、ＡＶ引渡しデバイス１０８、ディスプレイデバイス１１４および制御デバイス１１６間の対話が説明される。動作中、ディスプレイデバイス１１４上に表示された画像３１０の領域３５０へのズームインを希望するユーザは、制御デバイス１１６のカメラ１１６ｃをその領域に向け、かつ、制御デバイス１１６のディスプレイ１１６ｄ上の領域３５０’を観察することになる。好ましいことには、制御デバイス１１６上に表示されたズームインされた画像は、画像３１０が変化すると、および／またはユーザが制御デバイスを移動してカメラ１１６ｃの向きを変えると、実時間またはほぼ実時間で更新される。同じく好ましいことには、ユーザには、制御デバイス１１６上のキーを押下することなどによって領域３５０の静止画像を観察し、および／または捕獲するオプションが与えられる。捕獲された画像は、制御デバイス１１６のディスプレイ（第２のディスプレイ）の解像度を有していることが好ましい第３の画像データによって表される。さらに、領域３５０の縦横比および／または配向は、ディスプレイ１１６ｄのそれと一致していることが好ましい。
【００３０】
以下でより詳細に説明されるように、ＡＶ配信デバイス１０８は、制御デバイス１１６のカメラ１１６ｃによる第３の画像データによって取り込まれ、表された画像を使用して、第１の画像データ内のフレームから生成される画像３１０内の領域３５０に対応するソースコンテンツ内のフレーム内の第１の部分を突きとめる（第１の画像データは少なくとも１つのフレームを含む）。次に第２の画像データが第１の画像データ内のフレーム内の第１の部分から、好ましくはその固有解像度で生成され、第２の画像としてディスプレイ１１６ｄ（第２のディスプレイ）上に表示するために処理され、かつ、制御デバイス１１６に送られる。動作中、それは、あたかも制御デバイス１１６のカメラ１１６ｃが関心領域３５０にズームインしているようにユーザに対して出現することになるが、カメラによって実際に取り込まれ画像がディジタル的に拡大されることになれば生じるであろう解像度の不正確性および損失はない。解像度のこのような損失は、例えばソースマテリアルが高解像度写真画像である場合、とりわけ顕著になる。例えば２０メガピクセル画像がたったの１メガピクセルの解像度で典型的な７２０ｐテレビジョンモニター上に表示される場合を考察すると、その場合、大量の細部を損失することになる。
【００３１】
上記実施形態は、静止画像を表す画像ソース（第１の画像データ）に対して適切である。ズーミングのための拡大係数は、ユーザによってセットアップされるユーザ設定データベースから見出され得る。実施形態では、取り込まれた第３の画像データの解像度がＷＸＨピクセルであり、また、第１の画像データ内のフレーム内の第１の部分のサイズがａＸｂピクセルである場合、拡大係数は、第２のディスプレイ１１６ｄの幅を満たすためのＷ／ａ、または第２のディスプレイ１１６ｄの深さを満たすためのＨ／ｂのいずれかとして自動的に生成される。単位として「ピクセル」を使用しているが、「ブロック」、例えば「マクロブロック」などの他の単位も同じく使用され得る。
【００３２】
例示的実施形態では、制御デバイス１１６は、カメラ１１６ｃによって取り込まれた、取り込まれた第３の画像データをＡＶ配信デバイス１０８に送り、ＡＶ配信デバイス１０８は、第３の画像データを使用して、第３の画像データ内でディスプレイデバイス１１４のディスプレイ１１４ｄのすべてまたは部分を探索し、かつ、第３の画像データ内でディスプレイ１１４ｄの相対的な場所を使用することにより、領域３５０に対応する第１の画像データの第１の部分を突きとめ、それにより第１の画像データ内のフレーム内の第１の部分の場所を引き出す。好ましいことには、カメラ１１６ｃによって取り込まれる第３の画像データは、第３の画像データの第１の部分を占めるディスプレイ１１４ｄ全体を含む。関心領域３５０は、定義済みのサイズまたは利用可能なサイズであってもよい。第１の画像データ内のフレーム内の第１の部分の点の場所によって表され得る、領域３５０に対応する第１の画像データ内のフレーム内の第１の部分の場所は、第３の画像データの第１の部分を占めるディスプレイデバイス１１４のディスプレイ１１４ｄの画像内の対応する点の場所によって決定され得る。２つの対応する点は、それぞれ、第３の画像データの第１の部分および第１の画像データ内のフレーム内の第１の部分の中心または隅のうちの１つであってもよい。画像３１０は、第１の画像データ内のフレームから生成される。画像３１０内の位置は、第１の画像データ内の対応するフレーム内に対応する位置を有しているため、関心領域（ＡＯＩ：ａｒｅａ  ｏｆ  ｉｎｔｅｒｅｓｔ）３５０は、第１の画像データ内のフレーム内の第１の部分を決定する。第３の画像データ内でディスプレイ１１４ｄを探索する場合、ＡＶ配信デバイス１０８は、例えば、ディスプレイ１１４ｄを囲み、かつ、ディスプレイ１１４ｄの輪郭を描いているディスプレイデバイス１１４のフレーム１１４ｆを探索することができる。この目的のために、画像探索を実施するための任意の様々なよく知られている技法が使用され得る。ディスプレイ１１４ｄ全体が画像内で取り込まれない場合、ズーミングイン機能は、ユーザがカメラ１１６ｃの位置を変え、これらの条件が満たされるまで非作動化され得る。
【００３３】
カメラ１１６ｃによって取り込まれた第３の画像データ内のディスプレイ１１４ｄの相対的な場所に基づいて、ＡＶ配信デバイス１０８は、第１のディスプレイ１１４ｄ内の画像３１０内の領域３５０に対応する第１の画像データ内のフレーム内の第１の部分を決定することができる。第３の画像データ３５０内にディスプレイ１１４ｄのサイズが与えられると、領域３５０に関連する第１の画像データ（例えばＭＰＥＧマクロブロック）内のフレーム内の第１の部分のサイズは、容易に決定され、かつ、アクセスされ得る。領域３５０に対応する第１の画像データの第１の部分を使用して、ＡＶ配信デバイス１０８は、第１の画像データ内のフレーム内の第１の部分を第２の画像データとして再生成し、かつ、第２の画像データを制御デバイス１１６に提供して、ディスプレイ１１６ｄによって、領域３５０’としてその上に示されている第２の画像として表示することができる。領域３５０’は、ユーザコマンドに応答して拡大され得る。領域３５０’が変更される場合、制御デバイスは、手動で、または自動的に、受け取られた第２の画像データから生成された画像のサイズを調整することができる。領域３５０’が固定されたサイズでディスプレイ１１６ｄ上に表示されると（例えばディスプレイ１１６ｄの全スクリーンを占めると）、拡大は、第３の画像データ内のディスプレイ１１４ｄのサイズに従って変更され得る。例えば領域３５０’のサイズがＲＸＳピクセルのサイズを有しており、また、第３の画像データ内のディスプレイ１１６ｄのサイズがｗＸｈピクセルである場合、ＡＶ配信ヘッドは、第１の画像データ内のフレーム内の第１の部分をＲ／ｗの係数だけ自動的に拡大し、それにより領域３５０’の幅を合わせることができ、またはＳ／ｈの係数を使用して領域３５０’の深さを合わせることができる。この実施形態は、第１の画像データの解像度が第２のディスプレイ１１６ｄのそれと同じである場合に良好に動作する。
【００３４】
代替では、第１の画像データ内のフレーム内の第１の部分がａＸｂピクセルのサイズを有している場合、ＡＶ配信デバイス１０８は、第１の画像データ内のフレーム内の第１の部分をＲ／ａの係数だけ拡大し、それにより領域３５０’の幅を満たすことができ、またはＳ／ｂによって領域３５０’の深さを満たすことができる。この実施形態は、第１の画像データの解像度が第２のディスプレイ１１６ｄのそれと同じではない場合に良好に動作する。
【００３５】
制御デバイス１１６を使用しているユーザは、ＡＯＩ３５０に対応する第１の画像データ内のフレーム内の第１の部分を自動的に拡大し、または規定された拡大係数を使用して拡大するよう、ＡＶ配信デバイス１０８に命令することができる。ユーザが領域３５０’のサイズを変更する場合、ユーザは、ＡＶ配信デバイス１０８の拡大係数を変更することなく、制御デバイス１１６の拡大係数を変更するように制御デバイス１１６を構成することができる。一実施形態では、ユーザは、ＡＶ配信ヘッド１０８が更新されたサイズに従って自動的に拡大を変更することができるよう、領域３５０’の更新されたサイズをＡＶ配信デバイス１０８に送るように制御デバイス１１６を構成することも可能である。
【００３６】
次に、図３Ｂおよび３Ｃを参照して、関心領域３５０に対応する第１の画像データ内のフレーム内の第１の部分の決定が説明される。図３Ｂは、カメラ１１６ｃによって取り込まれた第３の画像データから生成された、中にディスプレイデバイス１１４を示す画像３１６を概略的に示したものである。ディスプレイデバイス１１４のディスプレイ１１４ｄを表している画像３１６の部分は１１４ｄ’で示されている。図示されているように、画像３１６および画像部分１１４ｄ’は長方形であり、第３の画像データ内におけるピクセルの幅はそれぞれＷおよびｗであり、また、第３の画像データ内におけるピクセルの高さはそれぞれＨおよびｈである。既に指摘されたように「ピクセル」は単位として使用されているが、「ブロック」、例えば「マクロブロック」などの他の単位も同じく使用され得る。画像３１６は、第３の画像データ内の点すなわちピクセル（ｘ，ｙ）の格子と見なされることが可能であり、その原点は、説明を分かり易くするために左下隅に存在している。原点として他の場所も同じく選択されることが可能であり、例えば第３の画像データの３つの他の隅および中心のうちのいずれかが原点として使用され得る。画像部分１１４ｄ’は、点（ｘo，ｙo）、（ｘo＋ｗ，ｙo）、（ｘo＋ｗ，ｙo＋ｈ）および（ｘo，ｙo＋ｈ）に頂点を有する長方形と見なされることが可能であり、その中心は第３の画像データ内の（ｘc，ｙc）であり、ｘc＝ｘo＋ｗ／２およびｙc＝ｙo＋ｈ／２である。これらの点は、上で言及されたような適切な画像探索技法によって決定され得る。
【００３７】
上で言及されたように、第１の画像データ内のフレームから生成される画像３１０内のＡＯＩ３５０に対応する第１の画像データ内のフレーム内の第１の部分は、第３の画像データ３１６内の画像部分１１４ｄ’の相対的な場所に基づいて決定され得る。より詳細には、第３の画像データ３１６内の画像部分１１４ｄ’の中心の位置は、ブロック、例えば集合的に第１の画像データを形成するＭＰＥＧマクロブロックなどの画像単位の格子にマップされ得る。このような格子は図３Ｃに概略的に描かれており、格子は、第１の画像データ内における幅がＭブロックであり、また、高さがＮブロックであり、個々のブロックは（ｍ，ｎ）で示され、第１の画像データ内の左下隅のブロック（１，１）で始まる。
【００３８】
理解され得るように、ＡＯＩ３５０に対応する第１の画像データ内のフレーム内の第１の部分の中心ブロックに対応するブロック（ｍc，ｎc）は、以下の表現式に従って決定され得る。
【００３９】
ｍc＝ｃｅｉｌ［（Ｍ／Ｗ）＊（Ｗ−ｘc）］    （１ａ）
ｎc＝ｃｅｉｌ［（Ｎ／Ｈ）＊（Ｈ−ｙc）］    （１ｂ）
【００４０】
このように決定されたブロック（ｍc，ｎc）を使用して、第１の画像データ内のフレーム内の第１の部分は、ブロック（ｍc，ｎc）になるように、またはブロック（ｍc，ｎc）およびブロック（ｍc，ｎc）を囲む追加ブロックを含む一組のブロックになるように選択され得る。例えば図３Ｃに実例として描かれているように、ＡＯＩ３５０に対応する第１の画像データ内のフレーム内の第１の部分は、ブロック（ｍc，ｎc）およびそれを直接囲んでいる８個のブロックからなっている。第１の画像データ内のフレーム内の第１の部分を表すブロックの数は、画像部分１１４ｄ’のサイズに従って予め定められるか、または決定されることができる。例えば第１の画像データ内のフレーム内の第１の部分の幅はｃｅｉｌ［Ｍ＊ｗ／Ｗ］マクロブロックであり、また、ＡＯＩ３５０の深さはｃｅｉｌ［Ｎ＊ｈ／Ｈ］である。このように決定された第１の画像データ内のフレーム内の第１の部分のサイズおよび場所を使用して、ＡＶ配信デバイス１０８は、ディスプレイ１１６ｄ上の第２の画像として領域３５０’上に表示するための対応する第２の画像データを生成することができる。
【００４１】
上で説明されたように、ユーザは、例えば制御デバイス１１６を使用して、ＡＶ配信デバイス１０８に制御デバイス１１６のディスプレイ１１６ｄ内の領域３５０’の解像度（サイズ）を知らせることができ、および／または制御デバイス１１６は、領域３５０’のサイズが変更されると、更新されたサイズを自動的にＡＶ配信デバイス１０８に送ることができる。この方法でＡＶ配信デバイス１０８は、拡大係数がＡＶ配信デバイス１０８で利用することができないか、または第１の画像内のフレーム内の第１の部分を自動的にズームするようにＡＶ配信デバイス１０８が命令されると、ＡＯＩ３５０を自動的にズームし、領域３５０’の幅または領域３５０’の深さを合わせることができる。本明細書において使用されているように、ディスプレイの幅は、ディスプレイが肖像配向または風景配向のいずれかで位置決めされ得る場合であっても、ディスプレイの深さより長い。ＭＸＮ単位のサイズまたは解像度とは、幅がＭ単位であり、また、深さがＮ単位であることを意味している。
【００４２】
この実施形態では、画像３１６内のＡＯＩ３５０に対応する第３の画像データ内の部分の場所は、画像３１６として表示された第３の画像データ内の画像部分１１４ｄ’のそれに対して対称的に反対側の象限に存在している。例えばカメラ１１６ｃが右に向かって移動している場合、ＡＯＩ３５０に対応する第１の画像データ内のフレーム内の第１の部分も同じく右に向かって移動するが、第３の画像データ内の画像部分１１４ｄ’は左に向かって移動する。
【００４３】
他の実施形態では、画像３１６内のＡＯＩ３５０に対応する画像内の部分の場所は、画像３１６として表示された第３の画像データ内の画像部分１１４ｄ’の場所と一致し、また、ユーザは、画像３１６として表示された第３の画像データ内の画像部分１１４ｄ’の場所に従ってＡＯＩ３５０の場所を決定する。この実施形態では、第１の画像データ内のフレーム内の第１の部分の中心ブロックは、以下の表現式に従って決定され得る。
【００４４】
ｍc＝ｃｅｉｌ［（Ｍ／Ｗ）＊ｘc］    （２ａ）
ｎc＝ｃｅｉｌ［（Ｎ／Ｈ）＊ｙｃ］    （２ｂ）
【００４５】
式（１ａ）、（１ｂ）、（２ａ）および（２ｂ）は、単位として「ブロック」を使用しているが、本発明の原理は、「ピクセル」が単位として使用される場合にも等しく適用することができることに留意されたい。その場合、（ｍc，ｎc）は、第１の画像データ内のフレーム内の第１の部分の中心ピクセルの場所を表す。
【００４６】
例示的実施形態では、ＡＶ配信デバイス１０８が第１の画像データ内のフレーム内の第１の部分を突きとめると、それは、対応する領域３５０を表示するために、長方形、十字線または他の適切な形状などの図形をディスプレイデバイス１１４に表示させ、それにより制御デバイス１１６のカメラ１１６ｃが向けられる画像３１０の視覚フィードバックをユーザに提供することができる。さらに、領域３５０が固定されたサイズでディスプレイ１１６ｄ上に表示される場合（例えば全スクリーン）、領域３５０の輪郭を描いている長方形などの図形のサイズは、倍率が変更されると、それに応じて変更され得る。
【００４７】
他の例示的実施形態では、制御デバイス１１６は、ユーザがズームインすることを希望する関心領域３５０を選択するためのカメラ要素を有し、または使用する必要はない。このような指示は、長方形、十字線または他の適切な形状などの図形をディスプレイデバイス１１４のスクリーン上、および／または制御デバイス自体のスクリーン上に表示することによって提供されることが可能であり、また、ユーザは、図形を移動させて関心領域３５０を選択することができる。図形の移動および／または関心領域３５０の選択は、ジェスチャ、ソフトキーまたは実キーの押下、音声コマンド、または制御デバイス１１６を使用して可能な他のよく知られているユーザインタフェース技法などによって実施され得る。
【００４８】
例示的実施形態では、カメラ１１６ｃによって取り込まれる第３の画像データは６４０×４８０ピクセルである。典型的な使用では、ディスプレイ１１４ｄを表しているその部分は、例えば２００×１２０ピクセルまたは取り込まれる画像領域の約８％であってもよい。説明に役立つ動作シナリオでは、ユーザは、カメラ１１６ｃをディスプレイデバイス１１４に向け、かつ、取り込まれ、それによりディスプレイ１１６ｄ上に表示された、好ましくは生の第３の画像データを、通常は制御デバイス１１６のディスプレイ１１６ｄの中央またはほぼ中央に出現するディスプレイ１１４ｄを使用して見る。例えば図３Ｂを参照すると、（ｘ0，ｙ0）＝（２２０，１８０）、Ｗ＝６４０、Ｈ＝４８０、ｗ＝２００およびｈ＝１２０である。ユーザは、次に、入力コマンドなどによって制御デバイス１１６にズームインするよう命令する。制御デバイス１１６は、次に、カメラ１１６ｃによって取り込まれた第３の画像データをＡＶ配信デバイス１０８に送り、ＡＶ配信デバイス１０８は、第３の画像データを通して、第３の画像データ内の第１の部分を占めているディスプレイ１１４ｄを描いているその部分を探索し、第３の画像データ内の第１の部分のサイズおよび場所に従って、第１の画像データ内のフレーム内の第１の部分を決定し、次に、ディスプレイ１１６ｄ上に第２の画像として表示するために、ディスプレイ１１４ｄ上に表示された画像の領域３５０のズームインされた画像を表す第１の画像データ内のフレーム内の第１の部分から生成された第２の画像データを制御デバイス１１６に送り返す。図３Ｃを参照して、例えばＭ＝６４およびＮ＝４８と仮定すると、式（１ａ）および（１ｂ）から、ｍc＝３２およびｎc＝２４である。
【００４９】
ビデオがディスプレイ１１４ｄ上に表示されると、ＡＶ配信デバイス１０８は、ディスプレイ１１４ｄ上に表示されたビデオ内の領域３５０に対応する第１の画像データ内の異なるフレーム内の第１の部分のズームインされたバージョンであってもよい更新された第２の画像データを制御デバイス１１６に送り続ける。したがってディスプレイデバイス１１６ｄは、拡大のために選択されたディスプレイ１１４ｄ上に表示されたビデオの領域３５０のズームインされたビデオを表示する。ユーザが新しい関心領域をディスプレイ１１４ｄの左側で綿密に見たい場合、それらは、新しい関心領域に向けるためにカメラ１１６ｃを左に向ける。この位置のカメラ１１６ｃによって取り込まれた新しい画像では、ディスプレイ１１４ｄは、第１の画像データ内のフレーム内の第１の部分を突きとめるために式（１ａ）および（１ｂ）が使用される場合、その元の幅（例えば２００ピクセル）の何分の一か（例えば２５％）だけ右にシフトする。ＡＶ配信デバイス１０８は、新しい画像を処理し、かつ、ディスプレイ１１４ｄが例えば５０ピクセルだけ右に移動したことを決定する。ディスプレイ１１４ｄが画像内の２００×１２０ピクセルの領域を占めていることを決定すると、ＡＶ配信デバイス１０８は、第１の画像データ内のフレーム内の第１の部分を突きとめるために式（１ａ）および（１ｂ）が使用されている場合、今度はズームインされたストリーミングビデオを表示サイズの２５％だけ左にシフトさせる。同じシナリオで、第１の画像データ内のフレーム内の第１の部分を突きとめるために式（２ａ）および（２ｂ）が使用される場合、ＡＶ配信デバイス１０８は、今度はズームインされたストリーミングビデオを表示サイズの２５％だけ右にシフトさせる。
【００５０】
図４は、本発明の例示的実施形態の動作を示す流れ図を示したものである。この例では、分かり易くするために領域３５０’は、第２のディスプレイ１１６ｄの全フルスクリーンであってもよいことが仮定されている。
【００５１】
図４に示されているように、動作は４１０で始まり、制御デバイス１１６は、ユーザによって選択された第１のディスプレイ１１４ｄ上の部分を選択する。第１の（主）ディスプレイ１１４ｄは、少なくとも１つのフレームを含む第１の画像データ（ソースコンテンツ）から生成される画像をフレーム毎に表示することができる。第１のディスプレイ１１４ｄ上での部分の選択では、ユーザは、ズームイン機能を起動し（例えば制御デバイス１１６上の関連するアプリケーションを呼び出し、タッチスクリーンジェスチャを実施し、および／またはソフトキーまたは実キーを押下することなどによって）、かつ、制御デバイス１１６のカメラ１１６ｃを第１のディスプレイ上の関心領域（ＡＯＩ）３５０に向けることができる。ズームイン機能が起動され、かつ、カメラがディスプレイ１１４ｄに向けられる順序は交換可能である。第３の画像データがカメラ１１６ｃによって取り込まれ、第１のディスプレイ１１４ｄ上の選択された部分を表示する。
【００５２】
ステップ４２０で、第１のディスプレイ１１４ｄ上の選択された部分に対応する第１の画像データ内のフレーム内の第１の部分が決定される。この決定ステップは、ＡＶ配信デバイス１０８によって実施され得る。上で説明されたように、ＡＶ配信デバイス１０８は、第１のディスプレイ１１４ｄ上の選択された部分を表す第３の画像データから、第１の画像データ内のフレーム内の第１の部分を決定することができる。第１の画像データが静止画像を表すより適切な一実施形態では、第３の画像データは、第１のディスプレイ１１４ｄ上の画像３１０の部分３５０を表し、また、ＡＶ配信デバイス１０８は、第１の画像データを探索して、第３の画像データによって表された画像に対応する第１の画像データ内のフレーム内の第１の部分を見出す。第１の画像データが静止画像または動画像のいずれかを表す適切な他の実施形態では、第３の画像データは、第１のディスプレイ１１４ｄの画像を表す第１の部分を含み、また、ＡＶ配信デバイス１０８は、第３の画像データ内における第３の画像データの第１の部分の相対位置、および第３の画像データの第１の部分のサイズに従って、第１の画像データ内のフレーム内の第１の部分を決定する。例えば第１の画像データの解像度がＡＸＢ単位であり、また、第３の画像データの解像度がＷＸＨ単位であると仮定すると、ＡＶ配信デバイス１０８は、第３の画像データの第１の部分を突きとめ、また、第３の画像データ内における第３の画像データの第１の部分の中心を表す第３の画像データ内の位置（ｐ，ｑ）を決定し、かつ、第１の画像データ内のフレーム内の第１の部分の中心を（ａ，ｂ）として決定することができ、ａ＝（Ａ／Ｗ）＊ｐおよびｂ＝（Ｂ／Ｈ）＊ｑである。この実例における中心の位置は、第１の画像データ内のフレーム内の第１の部分の場所を表す。また、第３の画像データの第１の部分のサイズは、ｗ単位の幅およびｈ単位の深さを含むと仮定すると、ＡＶ配信デバイス１０８は、第１の画像データ内のフレーム内の第１の部分の幅および深さをそれぞれｄ単位およびｅ単位として決定することができ、ｄ＝（Ａ／Ｗ）＊ｗおよびｅ＝（Ｂ／Ｈ）＊ｈである。
【００５３】
第１の画像データ内のフレーム内の第１の部分が決定されると、ＡＶ配信デバイス１０８は、ステップ４３０で、第１の画像データ内のフレーム内の第１の部分に対応する第１の画像データから第２の画像データを生成することができる。ＡＶ配信デバイス１０８は、拡大係数に従って、第１の画像データ内のフレーム内の第１の部分に対応する第１の画像データを拡大することによって第２の画像データを生成することができる。拡大係数は、第３の画像データの第１の部分のサイズの幅ｗおよび高さｈを使用して、ＡＶ配信デバイス１０８によって自動的に引き出され得る。例えば、拡大係数は、第２のディスプレイ１１６ｄの幅を満たすためにＷ／ｗであり、または第２のディスプレイ１１６ｄの深さを満たすためにＨ／ｈである。第１の画像データ内のフレーム内の第１の部分のサイズがａＸｂ単位であると仮定すると、拡大係数は、既に説明されたように、第２のディスプレイ１１６ｄの幅を満たすためのＷ／ａとして自動的に決定され、または第２のディスプレイの深さを満たすためのＨ／ｂとして自動的に決定され得る。第２のディスプレイデバイス１１６ｄ上の表示は、第１のディスプレイデバイス１１４ｄ上の表示に影響を及ぼさない。例えば第２のディスプレイデバイス１１６ｄは、ズームされ得る第１のフレームの部分を表示することができるが、第１のディスプレイデバイスは、第１のフレームの全フレームの表示を継続する。したがって、ユーザは、第１のフレームの全フレームを第１のディスプレイデバイス１１４ｄ上で観察することができ、また、同じフレームのズームイン部分を第２のディスプレイデバイス１１６ｄ上で同じく見ることができる。
【００５４】
動作は、次に、ズームイン機能がアクティブである限りステップ４１０へループバックする。好ましいことには、ユーザがカメラを移動させる際に、制御デバイス１１６上のズームインされた画像の表示が実時間またはほぼ実時間で更新されるよう、ステップ４１０〜４４０を含むループが十分な頻度で反復される。好ましいことには、ＡＶ配信デバイス１０８は、ズームインされたビデオを表す第２の画像データを生で制御デバイス１１６に送る。しかしながら、関心領域３５０の場所は、後に遅れ得る何らかの他のレートで更新され得る。したがって、例えばズームインされたビデオは、３０〜６０ｆｐｓで制御デバイス１１６上に表示されることが可能であり、一方、制御デバイス１１６が第３の画像データを取り込み、かつ、ＡＶ配信デバイス１０８に伝送するレートは、５ｆｐｓ以上であってもよい。
【００５５】
図５は、制御デバイス１１６によって実施され得る動作を示したものである。ステップ５１０で制御デバイス１１６は、制御デバイス１１６のカメラによって取り込まれた第３の画像データを受け取り、第３の画像は、少なくとも１つのフレームを含む第１の画像データ（ソースコンテンツ）から生成される画像をフレーム毎に表示する第１のディスプレイ１１４ｄの少なくとも部分を含み、第３の画像は、ユーザによって選択された領域３５０に対応する第１の画像データ内のフレーム内の第１の部分の情報を引き出すために使用される。
【００５６】
ステップ５２０で制御デバイスは、第１の画像内のフレーム内の第１の部分を突きとめるための情報をＡＶ配信デバイス１０８に伝送する。第１の画像内のフレーム内の第１の部分を突きとめるための情報は、第３の画像データ自体であってもよく、または第３の画像データがその第１の部分にディスプレイ１１４ｄ全体を含んでいる場合、それは、第３の画像データの第１の部分のサイズ、および第３の画像データ内における第３の画像データの第１の部分の場所を含むことができる。第３の画像データ自体を伝送しない利点は、伝送帯域幅を節約することである。また、情報は、両方の実施形態では第２のディスプレイ１１６ｄの解像度を含むことも可能である。全スクリーンが第２のディスプレイ１１６ｄ内で使用されない場合、領域３５０’のサイズも同じく伝送されなければならない。
【００５７】
ステップ５３０で制御デバイス１１６は、第１の画像データ内のフレーム内の第１の部分に対応する第１の画像データから生成された第２の画像データを受け取る。第２の画像データは、第１の画像データ内のフレーム内の第１の部分に対応する第１の画像データのズームされたバージョンであってもよい。ステップ５４０で制御デバイス１１６は、第２の画像データから生成された第２の画像を第２のディスプレイ（１１６ｄ）上に表示し、第１のディスプレイは、第１の画像データから生成される画像のフレーム毎の表示を継続する。
【００５８】
図６は、ＡＶ配信デバイス１０８で実施され得る例示的動作を示したものである。ステップ６１０でＡＶ配信デバイス１０８は、第１の画像データから生成される画像をフレーム毎に第１のディスプレイデバイス１１４ｄ上に表示する。
【００５９】
ステップ６２０でＡＶ配信デバイス１０８は、第１の画像データ内のフレーム内の第１の部分を突きとめるための情報を制御デバイス１１６から受け取る。図５に関連して上で説明されたように、制御デバイスは、第１のディスプレイの少なくとも部分を含む第３の画像データを取り込むことができる。第３の画像データは、第１のディスプレイデバイス１１４ｄ上に表示された画像３１０の部分を含むことができ、またはディスプレイ１１４ｄ全体を含むことができる。第１の画像データ内のフレーム内の第１の部分を突きとめるための情報は、第３の画像データ自体であっても、または第３の画像データ内における第１のデバイス１１４ｄのサイズおよび相対的な場所であってもよい。
【００６０】
ステップ６３０でＡＶ配信デバイス１０８は、第１の画像データ内のフレーム内の第１の部分を突きとめる。突きとめる情報が第３の画像データ自体であり、また、第３の画像データが第１のディスプレイデバイス１１４上に表示される画像３１６の部分３５０を含むシナリオでは、ＡＶ配信デバイス１０８は、第３の画像データに対応する第１の部分のための第１の画像データを探索する。
【００６１】
第３の画像データが第１のディスプレイ１１６ｄの画像を表す第１の部分を含んでいる場合、ＡＶ配信デバイス１０８は、第３の画像データの解像度ＷＸＨ、第３の画像データの第１の部分のサイズｗＸｈ、および第３の画像データ内の第１の部分の場所を決定する。場所は、任意の定義済みの場所、例えば中心場所（ｐ，ｑ）であってもよい。第１の画像データの解像度がＡＸＢであると仮定すると、ＡＶ配信デバイス１０８は、例えば式（１ａ）、（１ｂ）、（２ａ）および（２ｂ）を使用して、第１の画像データ内のフレーム内の第１の部分の対応する場所を（ａ，ｂ）として決定する。例えば式（２ａ）および（２ｂ）が適用されると、ａ＝（Ａ／Ｗ）＊ｐおよびｂ＝（Ｂ／Ｈ）＊ｑであり、また、式（１ａ）および（１ｂ）が適用されると、ａ＝（Ａ／Ｗ）＊（Ｗ−ｐ）およびｂ＝（Ｂ／Ｈ）＊（Ｈ−ｑ）である。第１の画像データ内のフレーム内の第１の部分の幅ｄおよび深さｅは、ｄ＝（Ａ／Ｗ）＊ｗおよびｅ＝（Ｂ／Ｈ）＊ｈとして決定され得る。
【００６２】
第３の画像データが第１のディスプレイ１１４ｄ全体の画像を表す第１の部分を含む実施形態では、第１の画像データ内のフレーム内の第１の部分を突きとめるための情報は、第３の画像データ自体でなくてもよい。そうではなく、それは、第３の画像内の第１の部分の場所（ｐ，ｑ）、第３の画像データの第１の部分のサイズｗＸｈ、および第３の画像データの解像度ＷＸＨを含む。ＡＶ配信デバイス１０８は、上で説明されたように、ｐ、ｑ、ｗ、ｈ、ＷおよびＨに従って第１の画像データ内のフレーム内の第１の部分を突きとめることができる。このような実施形態は、例えば、制御デバイス１１６からＡＶ配信デバイス１０８までの無線リンクの帯域幅がカメラ１１６ｃによって取り込まれた画像の伝送をサポートすることができない実施態様、および／またはＡＶ配信デバイス１０８がカメラ１１６ｃによって取り込まれた画像内のＡＯＩ３５０を探索し、かつ、突きとめるための十分な処理能力を有していない実施態様の場合に望ましい。
【００６３】
他の実施形態では、制御デバイス１１６は、カメラ１１６ｃによって取り込まれた第３の画像データを、ＡＶ配信デバイス１０８に第３の画像データを送る前に、画像を圧縮または単純化することなどによって予め処理することができ、したがって上で言及した帯域幅必要条件および／またはＡＶ配信デバイス１０８に対する処理負荷を低減することができる。
【００６４】
ステップ６４０でＡＶ配信デバイス１０８は、第１の画像データ内のフレーム内の第１の部分に対応する第１の画像データから第２の画像データを生成する。第２の画像データは、第１の画像データ内のフレーム内の第１の部分に対応する第１の画像データのズームされたバージョンであってもよい。拡大係数は、記憶装置２１２に記憶され、かつ、第２の画像データを作成するためにＡＶ配信デバイス１０８によって使用される。
【００６５】
ＡＶ配信デバイス１０８は、記憶装置２１２またはメモリ２１５に記憶された設定データベースを有している。設定は、ユーザインタフェース２２２または制御デバイス１１６を使用してユーザによって入力される。設定は、拡大のための設定を含むことができ、その値は自動であっても、または拡大係数を示す数であってもよい。他の設定は、ディスプレイ１１６ｄの全スクリーンであってもよい領域３５０’の解像度ＷＸＨを表すことができる。自動設定では、ＡＶ配信デバイス１０８は、領域３５０’の幅を満たすためのＷ／ｗとして、または領域３５０’の深さを満たすためのＨ／ｈとして拡大係数を計算する。第１の画像データの解像度ＡＸＢが第２のディスプレイの解像度ＷＸＨと異なり、また、第１の画像データ内のフレーム内の第１の部分のサイズがａＸｂである場合、ＡＶ配信デバイス１０８は、領域３５０’の幅を満たすためのＷ／ａとして、または領域３５０’の深さを満たすためのＨ／ｂとして同じく拡大係数を計算することができる。
【００６６】
ステップ６５０でＡＶ配信デバイス１０８は、第２の画像として第２のディスプレイ１１６ｄ上に表示するために、第２の画像データを制御デバイスに伝送する。既に言及されたように、第２のディスプレイデバイス１１６ｄ上の表示は、第１のディスプレイデバイス１１４ｄ上の表示に影響を及ぼさない。例えば、第２のディスプレイデバイス１１６ｄは、第１のフレームの部分を表示することができるが、第１のディスプレイデバイスは、第１のフレームの全フレームの表示を継続する。したがって、ユーザは、第１のフレームの全フレームを第１のディスプレイデバイス１１４ｄ上で観察することができ、また、同じフレームのズームイン部分を第２のディスプレイデバイス１１６ｄ上で同じく見ることができる。
【００６７】
既に言及されたように、ここでは、領域３５０’のサイズは第２のディスプレイ１１６ｄの全スクリーンをカバーすることを仮定している。領域３５０’が第２のディスプレイ１１６ｄの全スクリーンをカバーしていない場合、拡大係数を計算するために領域３５０’のサイズがＡＶ配信デバイス１０８に伝送されなければならない。上で言及されたように、制御デバイス１１６は、領域３５０’のサイズを調整することにより、第２のディスプレイ上に表示された、第２の画像データから生成された画像をさらに拡大または縮小することができる。
【００６８】
言及されたように、ディスプレイ１１６ｄ上に表示される際の第２の画像の解像度は、ディスプレイデバイス１１４の解像度によって制限されるのではなく、むしろＡＶ配信デバイス１０８によって受け取られ、または検索される信号を担っているコンテンツ（第１の画像データ）から得ることができる解像度に基づいている。したがって例えばＡＯＩ３５０が２０メガピクセル画像の領域の５％を表している場合、ディスプレイ１１６ｄ上に表示される際の第２の画像データ、すなわちＡＯＩ３５０に対応する領域３５０’の解像度は、７２０ｐテレビジョンモニター上に表示される際のＡＯＩ３５０の解像度がたったの０．０５メガピクセルであっても、好ましいことには１メガピクセルである。
【００６９】
上記に鑑みて、以上は、単に本発明の原理を実例で説明したものにすぎず、したがって、当業者は、本明細書においては明確に説明されていないが、本発明の原理を具体化し、また、その精神および範囲の範疇である多くの代わりの構成を工夫することができることは理解されよう。例えば個別の機能要素の文脈で示されているが、これらの機能要素は、１または複数の集積回路（ＩＣ）の中で具体化され得る。同様に、個別の要素として示されているが、いくつかの要素またはすべての要素は、記憶プログラム制御プロセッサー、例えばディジタル信号プロセッサーまたは汎用プロセッサーの中で実現されることが可能であり、記憶プログラム制御プロセッサーは、例えば１または複数のステップに対応する関連するソフトウェアを実行し、ソフトウェアは、任意の様々な適切な記憶媒体の中で具体化され得る。さらに、本発明の原理は、とりわけパーソナル計算システムを始めとする様々なタイプのデバイスおよびシステムに適用することができる。したがって、本発明の精神および範囲を逸脱することなく、説明に役立つ実施形態には多くの修正が加えられ得ること、および他の構成が工夫され得ることは理解されよう。
本発明は以下の態様を含む。
（付記１）
制御デバイス（１１６）を使用して第１のディスプレイ（１１４ｄ）上の部分を選択するステップであって、前記制御デバイスは第２のディスプレイ（１１６ｄ）を有し、前記第１のディスプレイは、少なくとも１つのフレームを含む第１の画像データから生成される画像をフレーム毎に表示する、選択するステップ（４１０）と、
前記第１のディスプレイ上の前記選択された部分に対応する前記第１の画像データ内のフレーム内の第１の部分を決定するステップ（４２０）と、
前記第１の画像データ内のフレーム内の前記第１の部分に対応する前記第１の画像データから第２の画像データを生成するステップ（４３０）と、
前記第２の画像データを前記制御デバイス（１１６）に提供し、第２の画像として前記第２のディスプレイ上に表示する（４８０）ステップ（４４０）と、
を含む、方法。
（付記２）
前記選択するステップは、前記制御デバイス（１１６）のカメラ（１１６ｃ）から第３の画像データを受け取るステップを含み、前記第３の画像データの第１の部分は前記第１のディスプレイ（１１４ｄ）の画像を表し、前記決定するステップは、前記第３の画像データ内における前記第３の画像データの前記第１の部分の相対位置、および前記第３の画像データの前記第１の部分のサイズに従って、前記第１の画像データ内のフレーム内の前記第１の部分を決定するステップを含む、付記１に記載の方法。
（付記３）
前記第１の画像データの解像度はＡＸＢ単位であり、また、前記第３の画像データの解像度はＷＸＨ単位であり、前記方法は、
前記第３の画像データの前記第１の部分を位置決めし、かつ、前記第３の画像データ内における前記第３の画像データの前記第１の部分の中心を表す前記第３の画像データ内の位置（ｐ，ｑ）を決定するステップと、
前記第１の画像データ内のフレーム内の前記第１の部分の中心を（ａ，ｂ）として決定するステップであって、ａ＝（Ａ／Ｗ）＊ｐおよびｂ＝（Ｂ／Ｈ）＊ｑである、決定するステップと、
をさらに含む、付記２に記載の方法。
（付記４）
前記第３の画像データの前記第１の部分の前記サイズは、ｗ単位の幅およびｈ単位の深さを含み、前記決定するステップは、前記第１の画像データ内のフレーム内の前記第１の部分の幅および深さをそれぞれｄ単位およびｅ単位として決定するステップをさらに含み、ｄ＝（Ａ／Ｗ）＊ｗおよびｅ＝（Ｂ／Ｈ）＊ｈである、付記３に記載の方法。
（付記５）
前記第２の画像データを生成する前記ステップは、拡大係数に従って、前記第１の画像データ内のフレーム内の前記第１の部分に対応する前記第１の画像データを拡大するステップを含む、付記４に記載の方法。
（付記６）
ｗおよびｈのうちの１つから前記拡大係数を決定するステップ
をさらに含む、付記５に記載の方法。
（付記７）
前記拡大係数はＷ／ｗに等しい、付記６に記載の方法。
（付記８）
前記拡大係数はＨ／ｈに等しい、付記６に記載の方法。
（付記９）
前記第１の画像データは、静止画像またはビデオフレームを表す、付記１に記載の方法。
（付記１０）
前記選択するステップは、前記制御デバイス（１１６）のカメラ（１１６ｃ）から第３の画像データを受け取るステップを含み、前記第３の画像データは、前記第１のディスプレイ（１１４ｄ）上に表示される画像の部分を表し、前記決定するステップは、前記第３の画像データに対応する部分のための前記第１の画像データを探索するステップを含む、付記１に記載の方法。
（付記１１）
コントローラ（２１０）と、
少なくとも１つのフレームを表す第１の画像データを記憶するためのメモリ（２１５）と、
を備えるビデオレシーバ（１０８）であって、前記メモリは、実行されると、少なくとも、
第１のディスプレイ（１１４ｄ）が前記第１の画像データによって表される画像をフレーム毎に表示し、
制御デバイス（１１６）と対話して前記第１のディスプレイ上の部分（３５０）を選択し、
前記選択された部分に対応する前記第１の画像データ内のフレーム内の第１の部分を決定し、
前記第１の画像データ内のフレーム内の前記第１の部分に対応する前記第１の画像データから第２の画像データを生成し、かつ、
前記第２の画像データを前記制御デバイス（１１６）に提供し、第２の画像として第２のディスプレイ（１１６ｄ）上に表示する（４８０）
ように前記コントローラ（２１０）が前記ビデオレシーバを制御することになる論理を記憶する、前記ビデオレシーバ（１０８）。
（付記１２）
前記ビデオレシーバ（１０８）は、
前記制御デバイス（１１６）のカメラ（１１６ｃ）から第３の画像データを受け取り、前記第３の画像データの第１の部分は前記第１のディスプレイ（１１４ｄ）の画像を表し、前記決定するステップは、前記第３の画像データ内における前記第３の画像データの前記第１の部分の相対位置、および前記第３の画像データの前記第１の部分のサイズに従って、前記第１の画像データ内のフレーム内の前記第１の部分を決定するステップを含む、付記１１に記載のビデオレシーバ（１０８）。
（付記１３）
前記第１の画像データの解像度はＡＸＢ単位であり、前記第３の画像データの解像度はＷＸＨ単位であり、前記ビデオレシーバ（１０８）は、
前記第２の画像データの第２の部分を位置決めし、かつ、前記第２の画像データの前記第２の部分の中心を表す前記第２の画像データ内の位置（ｐ，ｑ）を決定し、
前記第１の画像データ内のフレーム内の前記第１の部分の中心を（ａ，ｂ）として決定し、ａ＝（Ａ／Ｗ）＊ｐおよびｂ＝（Ｂ／Ｈ）＊ｑである、付記１２に記載のビデオレシーバ（１０８）。
（付記１４）
前記第３の画像データの前記第１の部分の前記サイズは、ｗ単位の幅およびｈ単位の深さを含み、前記ビデオレシーバ（１０８）は、
前記第１の画像データ内のフレーム内の前記第１の部分の幅および深さをそれぞれｄ単位およびｅ単位として決定し、ｄ＝（Ａ／）Ｗ＊ｗおよびｅ＝（Ｂ／Ｈ）＊ｈである、付記１３に記載のビデオレシーバ（１０８）。
（付記１５）
前記ビデオレシーバ（１０８）は、拡大係数に従って、前記第１の画像データ内のフレーム内の前記第１の部分に対応する前記第１の画像データをズーミングすることによって前記第２の画像データを生成する、付記１４に記載のビデオレシーバ（１０８）。
（付記１６）
前記ビデオレシーバ（１０８）は、ｗおよびｈのうちの１つから前記拡大係数を決定する、付記１５に記載のビデオレシーバ（１０８）。
（付記１７）
前記拡大係数はＷ／ｗに等しい、付記１６に記載のビデオレシーバ（１０８）。
（付記１８）
前記拡大係数はＨ／ｈに等しい、付記１６に記載のビデオレシーバ（１０８）。
（付記１９）
前記第１の画像データは、静止画像またはビデオフレームを表す、付記１１に記載のビデオレシーバ（１０８）。
（付記２０）
少なくとも１つのフレームを含む第１の画像データを受け取り、かつ、前記第１の画像データから生成される画像をフレーム毎に第１のディスプレイ上に表示するビデオレシーバを制御する制御デバイスに使用される方法であって、
前記制御デバイスのカメラによって取り込まれた第３の画像データを受け取るステップであって、第３の画像は、少なくとも１つのフレームを含む第１の画像データから生成される画像をフレーム毎に表示する前記第１のディスプレイの少なくとも部分を含み、前記第３の画像は、ユーザによって選択された前記第１の画像データ内のフレーム内の第１の部分を位置決めするために使用される、受け取るステップ（５１０）と、
前記第１の画像内のフレーム内の前記第１の部分を位置決めするための情報を前記ビデオレシーバに伝送するステップ（５２０）と、
前記第１の画像データ内のフレームの前記第１の部分に対応する前記第１の画像データから生成された第２の画像データを受け取るステップ（５３０）と、
前記第２の画像データを表す第２の画像を第２のディスプレイ（１１６ｄ）上に表示する（４８０）ステップであって、前記第１のディスプレイは、前記第１の画像データから生成される画像のフレーム毎の表示を継続する、表示するステップ（５４０）と、
を含む、前記方法。
（付記２１）
前記第３の画像データの第１の部分は前記第１のディスプレイの画像を表し、前記第１の画像内のフレーム内の前記第１の部分を位置決めするための前記情報は、前記第３の画像データの前記第１の部分のサイズ、および前記第３の画像データ内における前記第３の画像データの前記第１の部分の場所を含む、付記２０に記載の方法。
（付記２２）
前記第１の画像内のフレーム内の前記第１の部分を位置決めするための前記情報は前記第２のディスプレイの解像度をさらに含む、付記２１に記載の方法。
（付記２３）
前記第１の画像内のフレーム内の前記第１の部分を位置決めするための前記情報は前記第３の画像データである、付記２０に記載の方法。
（付記２４）
前記第２の画像データは、前記第１の画像データ内のフレーム内の前記第１の部分に対応する前記第１の画像データのズームされたバージョンを表す、付記２０に記載の方法。
（付記２５）
前記第１の画像データは、静止画像またはビデオフレームを表す、付記２０に記載の方法。
（付記２６）
第１の画像データから生成される画像をフレーム毎に第１のディスプレイデバイス上に表示するステップ（６１０）と、
前記第１の画像データ内のフレーム内の第１の部分を位置決めするための情報を制御デバイスから受け取るステップ（６２０）と、
前記第１の画像データ内のフレーム内の前記第１の部分を位置決めするステップ（６３０）と、
前記第１の画像データ内のフレーム内の前記第１の部分に対応する前記第１の画像データから第２の画像データを生成するステップ（６４０）と、
第２の画像として第２のディスプレイ上に表示するために、前記第２の画像データを前記制御デバイスに伝送するステップ（６５０）と、
を含む、方法。
（付記２７）
前記第２の画像データは、前記第１の画像データ内のフレーム内の前記第１の部分に対応する前記第１の画像データのズームされたバージョンを表す、付記２６に記載の方法。
（付記２８）
前記ズームされたバージョンは、拡大係数を使用して前記第１の画像データ内のフレーム内の前記第１の部分を拡大することによって生成される、付記２７に記載の方法。
（付記２９）
前記拡大係数はメモリに記憶される、付記２８に記載の方法。
（付記３０）
第３の画像データが前記制御デバイスのカメラによって取り込まれ、第３の画像は前記第１のディスプレイの少なくとも部分を含み、前記第１の画像データ内のフレーム内の前記第１の部分を位置決めするための前記情報は、ｗＸｈ単位である前記第３の画像データの第１の部分のサイズ、および前記第３の画像データ内における前記第３の画像データの前記第１の部分の場所を含む、付記２６に記載の方法。
（付記３１）
前記第３の画像データ内における前記第３の画像データの前記第１の部分の前記場所は、（ｐ，ｑ）である前記第３の画像データ内における前記第３の画像データの前記部分の中心位置であり、前記第１の画像データ解像度はＡＸＢ単位であり、前記方法は、ＷＸＨ単位である前記第３の画像データの解像度を決定するステップ、および前記第１の画像データ内のフレーム内の前記第１の部分の中心を（ａ，ｂ）として決定するステップをさらに含み、ａ＝（Ａ／Ｗ）＊ｐおよびｂ＝（Ｂ／Ｈ）＊ｑである、付記３０に記載の方法。
（付記３２）
前記第１の画像データ内のフレーム内の前記第１の部分の幅および深さをそれぞれｄ単位およびｅ単位として決定するステップをさらに含み、ｄ＝（Ａ／Ｗ）＊ｗおよびｅ＝（Ｂ／Ｈ）＊ｈである、付記３１に記載の方法。
（付記３３）
前記拡大係数は前記サイズに従って決定される、付記３２に記載の方法。
（付記３４）
前記拡大係数はＷ／ｗとして計算される、付記３３に記載の方法。
（付記３５）
前記拡大係数はＨ／ｈとして計算される、付記３３に記載の方法。
（付記３６）
前記第１の画像データは、静止画像またはビデオフレームを表す、付記２６に記載の方法。
【図１】
0006341924.tif 000002
【図２】
0006341924.tif 000003
【図３Ａ】
0006341924.tif 000004
【図３Ｂ】
0006341924.tif 000005
【図３Ｃ】
0006341924.tif 000006
【図４】
0006341924.tif 000007
【図５】
0006341924.tif 000008
【図６】
0006341924.tif 000009